(57)【特許請求の範囲】
【請求項１】
第１と第２の２つの信号源と、前記第１の信号源からの出力信号を変調周波数ｆ１のクロックでＰＷＭ変調する第１のＤ級増幅器と、前記第２の信号源からの出力信号を変調周波数ｆ２のクロックでＰＷＭ変調する第２のＤ級増幅器と、前記第１と第２のＤ級増幅器からの出力信号をそれぞれ積分する第１と第２の積分器と、前記第１と第２の積分器からの出力信号をそれぞれ再生するための第１と第２の再生手段とを備え、前記第１と第２の２個のＤ級増幅器を同時に稼働させた時に、前記２個のＤ級増幅器がそれぞれの入力信号をＰＷＭ変調するために同時に発生させる基本波成分の発振基本周波数波ｆ１と発振基本周波数波ｆ２同士が干渉を起こして発生する妨害波の周波数を、前記第１と第２の２個のＤ級増幅器の後段にそれぞれ接続された前記第１と第２の再生手段を構成する回路，デバイス，ＬＳＩ等の後段装置で利用不可能な周波数帯域になるように設定したＤ級増幅器を使用したシステム。
【請求項２】
２個のＤ級増幅器が発生する基本波成分の発振基本周波数をｆ１，ｆ２とし、後段装置の利用可能な周波数帯域をＢ１とした時、ｆ１とｆ２の差分がＢ１よりも大きくなるように設定した請求項１に記載のＤ級増幅器を使用したシステム。
【請求項３】
２個のＤ級増幅器が１個のＬＳＩに内蔵された請求項２に記載のＤ級増幅器を使用したシステム。
【請求項４】
基本波成分の発振基本周波数ｆ１のクロックで入力信号をＰＷＭ変調する第１と第２の２個のＤ級増幅器が１個のＬＳＩに内蔵された第１のシステムと、基本波成分の発振基本周波数ｆ２のクロックで入力信号をＰＷＭ変調する第３と第４の２個のＤ級増幅器が１個のＬＳＩに内蔵された第２のシステムとからなり、前記第１のシステムの前記第１と第２の２個のＤ級増幅器で第１と第２の２つの信号源からの出力信号をそれぞれ変調周波数ｆ１のクロックでＰＷＭ変調し、前記第２のシステムの前記第３と第４の２個のＤ級増幅器で第３と第４の２つの信号源からの出力信号をそれぞれ変調周波数ｆ２のクロックでＰＷＭ変調するように構成するとともに、前記各ＬＳＩ内の２個のＤ級増幅器が発生させる基本波成分の発振基本周波数ｆ１，ｆ２に対し、前記各Ｄ級増幅器の後段装置の利用可能な周波数帯域をＢ１とした時、ｆ１とｆ２の差分がＢ１よりも大きくなるように設定したＤ級増幅器を使用したシステム。
【請求項５】
基本波成分の発振基本周波数ｆ１のクロックで入力信号をそれぞれＰＷＭ変調する第１と第２の２個のＤ級増幅器が１個のＬＳＩに内蔵された第１のシステムと第３のＤ級増幅器とを１個づつ組み合わせ、前記第１のシステムにおける第１と第２の２個のＤ級増幅器が発生する基本波成分の発振基本周波数ｆ１に対し、組み合わされたもう一方の第３のＤ級増幅器が発生する基本波成分の発振基本周波数をｆ２とし、各Ｄ級増幅器の後段装置の利用可能な周波数帯域をＢ１とした時、ｆ１とｆ２の差分がＢ１よりも大きくなるように設定したＤ級増幅器を使用したシステム。
【請求項６】
積分器を、それぞれ各Ｄ級増幅器と再生デバイスの間に直列に挿入されたコイルと、その再生デバイスの接続点と接地との間に挿入されたコンデンサよりなるＬＣフィルタで構成するとともに、前記積分器のコイルを磁気シールドして発生する磁気成分を外部に漏らさないようにしたことを特徴とする請求項１記載のＤ級増幅器を使用したシステム。
【請求項７】
信号出力源とＤ級増幅器を内蔵したＬＳＩとそのＤ級増幅器のＰＷＭ出力を積分する積分器と再生デバイスとからなり、Ｄ級増幅器を内蔵するＬＳＩを覆うパッケージ材質としてＬＳＩ内部から発生する磁気成分を外部に漏らさない磁気シールド材料を使用したことを特徴とする請求項１記載のＤ級増幅器を使用したシステム。
【発明の詳細な説明】
【０００１】
【発明の属する技術分野】
本発明は、Ｄ級増幅器を使用したテレビジョン受像機等のシステムに関するものである。
【０００２】
【従来の技術】
Ｄ級増幅器を単独で使用する場合の性能を確保する構成については特開平５−１６０６４９号公報，特開平６−３０３０４９号公報，特開平６−２１６６６４号公報に記載されているように、従来から検討がなされているが、テレビジョン受像機等のＤ級増幅器を使用したシステムにおいて、従来のＤ級増幅器の回路構成では、Ｄ級増幅器から発生するＰＷＭ変調（パルス幅変調）時の基本波成分と高調波成分が周辺の別の回路に妨害として影響するため、妨害への配慮が必要であった。特にステレオ放送を再生するためＤ級増幅器を音声増幅器として２個以上使用する場合、各Ｄ級増幅器がＰＷＭ信号の発振基本周波数波を妨害波として発生し、その発振基本周波数波同士が干渉を起こし、その干渉波が音声出力自体に妨害波として重畳し、音声から妨害成分が聞こえるという課題があった。
【０００３】
また、テレビジョン受像機内でＤ級増幅器を音声増幅器として使用した場合、音声周波数の最大値が２０ｋＨｚと高いため、Ｄ級増幅器内で使用するＰＷＭ変調用の基本周波数は実使用上１００ｋＨｚ以上が必要となり、その高調波成分はテレビの映像周波数帯域にまで及び、そのため、Ｄ級増幅器を使用すると映像に妨害が現れるという課題があった。
【０００４】
従来、上記Ｄ級増幅器から発生する妨害波による問題を解決するための検討は十分ではなく、妨害波による影響をなくするためには、Ｄ級増幅器を１個づつ個別にシールドケース等でシールドする方法が一般的であった。
【０００５】
【発明が解決しようとする課題】
しかしながら、上記従来のＤ級増幅器を使用したシステムにおける妨害波に対する対策は十分でないという問題が依然として残っていた。
【０００６】
本発明は、かかる問題を解決するものであり、Ｄ級増幅器を使用したシステムにおいて、Ｄ級増幅器から発生する妨害波による影響を除去することを目的とするものである。
【０００７】
【課題を解決するための手段】
上記課題を解決するために、本発明のＤ級増幅器を使用したシステムは、２個のＤ級増幅器が入力信号をＰＷＭ変調するために同時に発生させる基本波成分の発振基本周波数波を、その発振基本周波数波同士が干渉を起こして発生する妨害波が、そのＤ級増幅器の後段に接続された回路，デバイス，ＬＳＩ等の後段装置で利用不可能な周波数帯域になるように設定したものであり、２個のＤ級増幅器を同時に使用しても互いの発振基本周波数波の干渉による妨害波が後段装置で利用不可能な周波数帯域にあるため、悪影響が現われないことになるものである。
【０００８】
また、本発明のＤ級増幅器を使用したシステムは、Ｄ級増幅器で使用するＬＣフィルタのインダクタ成分として使用するコイルを磁気シールドしたものであり、コイル内部で発生する磁気を外部に漏らさないようにすることにより、Ｄ級増幅器を使用する回路から発生する妨害波による悪影響を除去するものである。
【０００９】
また、本発明のＤ級増幅器を使用したシステムは、Ｄ級増幅器を内蔵するＬＳＩそのものを磁気シールド材料でコーティングしたものであり、Ｄ級増幅器を内蔵するＬＳＩから発生する妨害波による悪影響を除去するものである。
【００１０】
以下、本発明の実施の形態について図面を参照して説明する。
【００１１】
【発明の実施の形態】
本発明の請求項１に記載の発明は、第１と第２の２つの信号源と、前記第１の信号源からの出力信号を変調周波数ｆ１のクロックでＰＷＭ変調する第１のＤ級増幅器と、前記第２の信号源からの出力信号を変調周波数ｆ２のクロックでＰＷＭ変調する第２のＤ級増幅器と、前記第１と第２のＤ級増幅器からの出力信号をそれぞれ積分する第１と第２の積分器と、前記第１と第２の積分器からの出力信号をそれぞれ再生するための第１と第２の再生手段とを備え、前記第１と第２の２個のＤ級増幅器を同時に稼働させた時に、前記２個のＤ級増幅器がそれぞれの入力信号をＰＷＭ変調するために同時に発生させる基本波成分の発振基本周波数波ｆ１と発振基本周波数波ｆ２同士が干渉を起こして発生する妨害波の周波数を、前記第１と第２の２個のＤ級増幅器の後段にそれぞれ接続された前記第１と第２の再生手段を構成する回路，デバイス，ＬＳＩ等の後段装置で利用不可能な周波数帯域になるように設定したＤ級増幅器を使用したシステムであり、２個のＤ級増幅器を同時に使用しても互いの発振基本周波数の干渉による妨害波が後段装置で利用不可能な周波数帯域にあるため、悪影響が現われないという作用を有する。
【００１２】
本発明の請求項２に記載の発明は、２個のＤ級増幅器が発生する基本波成分の発振基本周波数をｆ１，ｆ２とし、後段装置の利用可能な周波数帯域をＢ１とした時、ｆ１とｆ２の差分がＢ１よりも大きくなるように設定した請求項１に記載のＤ級増幅器を使用したシステムであり、第一のＤ級増幅器の変調波周波数ｆ１と第二のＤ級増幅器の変調波周波数ｆ２との差分を後段装置の利用可能な周波数帯域Ｂ１よりも大きくすることにより、第一のＤ級増幅器の変調波周波数ｆ１と第二のＤ級増幅器の変調波周波数ｆ２との干渉による妨害周波数がＢ１よりも高い周波数領域にあるため、２個のＤ級増幅器を同時に動作させた場合においても後段装置が変調波周波数の干渉による妨害の影響を受けないという作用を有する。
【００１３】
本発明の請求項３に記載の発明は、２個のＤ級増幅器が１個のＬＳＩに内蔵された請求項２に記載のＤ級増幅器を使用したシステムであり、２個のＤ級増幅器が１個のＬＳＩという同一パッケージ内に内蔵され、同時に動作させた場合においても後段装置が変調波周波数の干渉による妨害の影響を受けないという作用を有する。
【００１５】
本発明の請求項４に記載の発明は、基本波成分の発振基本周波数ｆ１のクロックで入力信号をＰＷＭ変調する第１と第２の２個のＤ級増幅器が１個のＬＳＩに内蔵された第１のシステムと、基本波成分の発振基本周波数ｆ２のクロックで入力信号をＰＷＭ変調する第３と第４の２個のＤ級増幅器が１個のＬＳＩに内蔵された第２のシステムの２個のシステムを使用し、各ＬＳＩ内の２個のＤ級増幅器が発生させる基本波成分の発振基本周波数をＬＳＩ毎にｆ１，ｆ２とし、Ｄ級増幅器の後段装置の利用可能な周波数帯域をＢ１とした時、ｆ１とｆ２の差分がＢ１よりも大きくなるように設定したＤ級増幅器を使用したシステムであり、第一のＬＳＩの変調波周波数ｆ１と第二のＬＳＩの変調波周波数ｆ２との干渉による妨害周波数がＢ１よりも高い周波数領域にあるため、同一システム内に２個のＬＳＩを近接して配置してＤ級増幅器を同時に動作させた場合においても後段装置が変調波周波数の干渉による妨害の影響を受けないという作用を有する。
【００１６】
本発明の請求項５に記載の発明は、基本波成分の発振基本周波数ｆ１のクロックで入力信号をＰＷＭ変調する第１と第２の２個のＤ級増幅器が１個のＬＳＩに内蔵された第１のシステムと第３のＤ級増幅器とを１個づつ組み合わせ、前記第１のシステムにおける第１と第２の２個のＤ級増幅器が発生する基本波成分の発振基本周波数をｆ１に対し、組み合わされたもう一方の第３のＤ級増幅器が発生する基本波成分の発振基本周波数をｆ２とし、各Ｄ級増幅器の後段装置の利用可能な周波数帯域をＢ１とした時、ｆ１とｆ２の差分がＢ１よりも大きくなるように設定したＤ級増幅器を使用したシステムであり、前記第１のシステムにおけるＬＳＩの変調波周波数ｆ１と組み合わされたもう一方のＤ級増幅器の変調波周波数ｆ２との干渉による妨害周波数がＢ１よりも高い周波数領域にあるため、同一システム内にＬＳＩとＤ級増幅器を近接して配置して同時に動作させた場合においても後段装置が変調波周波数の干渉による妨害の影響を受けないという作用を有する。
【００１７】
本発明の請求項６に記載の発明は、積分器を、それぞれ各Ｄ級増幅器と再生デバイスの間に直列に挿入されたコイルと、その再生デバイスの接続点と接地との間に挿入されたコンデンサよりなるＬＣフィルタで構成するとともに、前記積分器のコイルを磁気シールドして発生する磁気成分を外部に漏らさないようにした請求項１記載のＤ級増幅器を使用したシステムであり、コイルから発生する磁気成分を外部に漏らさない磁気シールドタイプのコイルを使用することにより、Ｄ級増幅器を使用するシステムから発生するパルス変調波周波数の高調波成分やクロック信号の高調波成分等の妨害を低減するという作用を有する。
【００１８】
本発明の請求項７に記載の発明は、信号出力源とＤ級増幅器を内蔵したＬＳＩとそのＤ級増幅器のＰＷＭ出力を積分する積分器と再生デバイスとからなり、Ｄ級増幅器を内蔵するＬＳＩを覆うパッケージ材質としてＬＳＩ内部から発生する磁気成分を外部に漏らさない磁気シールド材料を使用した請求項１記載のＤ級増幅器を使用したシステムであり、Ｄ級増幅器を使用する回路から発生するパルス変調波周波数の高調波成分やクロック信号の高調波成分等の妨害を低減するという作用を有する。
【００１９】
以下、本発明の実施の形態について、図面を用いて説明する。
（実施の形態１）
図１は本発明の実施の形態１におけるＤ級増幅器を使用したシステムのシステム構成図であり、１は例えば音声信号のように一定の周波数帯域Ｂ０を有する信号を出力する第一の信号出力源、２は前記第一の信号出力源１からの入力信号を、Ｂ０と比較して十分に周波数が高い変調波周波数ｆ１のクロックでＰＷＭ変調して増幅し、増幅させたＰＷＭ波を出力する第一のＤ級増幅器、３は前記第一のＤ級増幅器２からの出力信号を積分し、前記第一のＤ級増幅器２の変調波周波数ｆ１の動作クロック成分と前記変調波周波数ｆ１の高調波成分および再生デバイス４の再生可能周波数帯域Ｂ１以上の周波数成分を減衰させる第一の積分器で、前記再生デバイス４は前記第一の積分器３からの出力信号を再生する作用を有する。
【００２０】
また、５は例えば音声信号のように一定の周波数帯域Ｂ０を有する信号を出力する第二の信号出力源、６は前記第二の信号出力源５からの入力信号を、Ｂ０と比較して十分に周波数が高い変調波周波数ｆ２のクロックでＰＷＭ変調して増幅し、増幅させたＰＷＭ波を出力する第二のＤ級増幅器、７は前記第二のＤ級増幅器６からの出力信号を積分し、前記第二のＤ級増幅器６の変調波周波数ｆ２の動作クロック成分と前記変調波周波数ｆ２の高調波成分および再生デバイス８の再生可能周波数帯域Ｂ１以上の周波数成分を減衰させる第二の積分器で、前記再生デバイス８は前記第二の積分器７からの出力信号を再生する作用を有する。
【００２１】
ここで、前記第一のＤ級増幅器２の動作クロックの変調波周波数ｆ１と前記第二のＤ級増幅器６の動作クロックの変調波周波数ｆ２との差分が、再生デバイス４と再生デバイス８の再生可能周波数帯域Ｂ１よりも大きくなるように変調波周波数ｆ１と変調波周波数ｆ２とを選び、変調波周波数ｆ１と変調波周波数ｆ２のビート成分が妨害成分として発生しても、前記再生デバイス４および再生デバイス８から妨害成分が再生されないという作用を有する。
【００２２】
上記のシステム構成において具体的には、例えば、第一の信号出力源１および第二の信号出力源５は音声信号コントローラーであり、再生デバイス４および再生デバイス８はスピーカである。この時、一般的にＢ０＝Ｂ１となる。
【００２３】
また、他の例においては、第一の信号出力源１および第二の信号出力源５は偏向信号発生器であり、再生デバイス４および再生デバイス８は偏向コイルである。この時、一般的にＢ０＝Ｂ１とは限らない。
【００２４】
（実施の形態２）
図２は本発明の実施の形態２におけるＤ級増幅器を使用したシステムのシステム構成図であり、９は例えば音声信号のように一定の周波数帯域Ｂ０を有する信号を出力する第一の信号出力源、１０は例えば音声信号のように一定の周波数帯域Ｂ０を有する信号を出力する第二の信号出力源、１１は内部に２つの第一のＤ級増幅器１２と第二のＤ級増幅器１３とを内蔵し、前記第一の信号出力源９からの入力信号を第一のＤ級増幅器１２で増幅し、増幅されたＰＷＭ信号として出力し、同時に、前記第二の信号出力源１０からの入力信号を第二のＤ級増幅器１３で増幅し、増幅されたＰＷＭ信号として出力するＬＳＩである。ここで、前記第一のＤ級増幅器１２は、前記第一の信号出力源９からの入力信号を、Ｂ０と比較して十分に周波数が高い変調波周波数ｆ１のクロックでＰＷＭ変調して増幅し、増幅させたＰＷＭ波を出力する作用があり、また、前記第二のＤ級増幅器１３は、前記第二の信号出力源１０からの入力信号を、Ｂ０と比較して十分に周波数が高い変調波周波数ｆ２のクロックでＰＷＭ変調して増幅し、増幅させたＰＷＭ波を出力する作用がある。１４は前記ＬＳＩ１１が内蔵する第一のＤ級増幅器１２からの出力信号を積分し、前記第一のＤ級増幅器１２の変調波周波数ｆ１の動作クロック成分と前記変調波周波数ｆ１の高調波成分および再生デバイス１５の再生可能周波数帯域Ｂ１以上の周波数成分を減衰させる第一の積分器、１６は前記ＬＳＩ１１が内蔵する第二のＤ級増幅器１３からの出力信号を積分し、前記第二のＤ級増幅器１３の変調波周波数ｆ２の動作クロック成分と前記変調波周波数ｆ２の高調波成分および再生デバイス１７の再生可能周波数帯域Ｂ１以上の周波数成分を減衰させる第二の積分器、前記再生デバイス１５は前記第一の積分器１４からの出力信号を再生する作用を有し、前記再生デバイス１７は前記第二の積分器１６からの出力信号を再生する作用を有する。
【００２５】
ここで、前記ＬＳＩ１１は、同一パッケージ内に第一のＤ級増幅器１２と第二のＤ級増幅器１３の２つが内蔵されていても、内蔵される前記第一のＤ級増幅器１２の動作クロックの変調波周波数ｆ１と前記第二のＤ級増幅器１３の動作クロックの変調波周波数ｆ２との差分が、再生デバイス１５と再生デバイス１７の再生可能周波数帯域Ｂ１よりも大きくなるように変調波周波数ｆ１と変調波周波数ｆ２とを選び、変調波周波数ｆ１と変調波周波数ｆ２のビート成分が妨害成分として発生しても、前記再生デバイス１５および１７から妨害成分が再生されないという作用を有する。
【００２６】
上記のシステム構成において具体的には、例えば、第一の信号出力源９および第二の信号出力源１０は音声信号コントローラーであり、再生デバイス１５および再生デバイス１７はスピーカである。この時、一般的にＢ０＝Ｂ１となる。
【００２７】
また、他の例においては、第一の信号出力源９および第二の信号出力源１０は偏向信号発生器であり、再生デバイス１５および再生デバイス１７は偏向コイルである。この時、一般的にＢ０＝Ｂ１とは限らない。
【００３０】
（実施の形態３）
図３は本発明の実施の形態３におけるＤ級増幅器を使用したシステムのシステム構成図であり、２つのシステム、システム１８とシステム１９からなり、システム１８とシステム１９内の構成は、前記図２と基本的に同じであり、ただ異なるところはシステム１８とシステム１９内の第一のＤ級増幅器１２の変調波周波数と第二のＤ級増幅器１３の変調波周波数がそれぞれ同じｆ１と同じｆ２になった点であり、システム１８内の２つのＤ級増幅器１２，１３の値が等しい変調波周波数ｆ１とシステム１９内の２つのＤ級増幅器１２，１３の値が等しい変調波周波数ｆ２との差分が、再生デバイス１５，１７の再生可能周波数帯域Ｂ１よりも大きく、４つの入力信号源９，１０，９，１０からの信号を４つのＤ級増幅器１２，１３，１２，１３で増幅した場合において、ｆ１とｆ２のビート成分が妨害成分として発生しても、前記再生デバイス１５，１７，１５，１７から妨害成分が再生されないという作用を有する。
【００３１】
また、システム１８内の２つのＤ級増幅器１２，１３の変調波周波数ｆ１が等しいため変調波周波数ｆ１と変調波周波数ｆ１によるビート成分が妨害成分として発生せず、前記再生デバイス１５および１７から妨害成分が再生されないという作用を有する。また、システム１９内においても同様である。
【００３２】
（実施の形態４）
図４は本発明の実施の形態４におけるＤ級増幅器を使用したシステムのシステム構成図であり、２つのシステム、システム２０とシステム２１からなり、システム２０は前記実施の形態３におけるＤ級増幅器を使用したシステムのシステム構成図を示す図３のシステム１８と同じであり、システム２１は実施の形態１におけるＤ級増幅器を使用したシステムのシステム構成図である図１の第一の信号出力源１と第一のＤ級増幅器２と第一の積分器３と再生デバイス４とからなる構成と同じである。
【００３３】
ここで、システム２０の２つのＤ級増幅器１２，１３の変調波周波数ｆ１とシステム２１のＤ級増幅器２の変調波周波数ｆ２との差分が、再生デバイス４，１５，１７の再生可能周波数帯域Ｂ１よりも大きく、３つの入力信号源１，９，１０からの信号をＤ級増幅器２，１２，１３で増幅した場合において、変調波周波数ｆ１と変調波周波数ｆ２のビート成分が妨害成分として発生しても、前記再生デバイス４，１５，１７から妨害成分が再生されないという作用を有する。
【００３４】
また、当然のことながら、システム２０内において、２つのＤ級増幅器１２，１３の変調波周波数ｆ１が等しいため、変調波周波数ｆ１と変調波周波数ｆ１によるビート成分が妨害成分として発生せず、前記再生デバイス１５および１７から妨害成分が再生されないという作用も有する。
【００３５】
（実施の形態５）
図５は本発明の実施の形態５におけるＤ級増幅器を使用したシステムのシステム構成図であり、実施の形態１におけるＤ級増幅器を使用したシステムのシステム構成図である図１の第一の信号出力源１と第一のＤ級増幅器２と第一の積分器３と再生デバイス４とからなる構成と同じであり、第一の積分器３は、第一のＤ級増幅器２と再生デバイス４の間に直列に挿入されたコイル２２と、そのコイル２２と再生デバイス４の接続点と接地との間に挿入されたコンデンサ２３でＬＣフィルタを構成している。そのコイル２２は、その巻き線と芯が部品外部への漏れ磁束を防止するため、フェライト樹脂あるいは珪素板で磁気シールドした部品であり、電流の大きいＰＷＭ波を積分する積分器３で使用することによって、コイル２２に電流が流れる時に発生する磁気が部品外部に漏れるのを防ぎ、漏れ磁束による他の電子回路への影響、妨害あるいは干渉を防止するという作用を有する。
【００３６】
（実施の形態６）
図６は本発明の実施の形態６におけるＤ級増幅器を使用したシステムのシステム構成図であり、実施の形態１におけるＤ級増幅器を使用したシステムのシステム構成図である図１の第一の信号出力源１と第一のＤ級増幅器２と第一の積分器３と再生デバイス４とからなる構成と同じであり、電流の大きいＰＷＭ波を発生する第一のＤ級増幅器２はＬＳＩに内蔵されており、Ｄ級増幅器２自らが発生する磁気を部品外部へ漏らさないためにＬＳＩ全体はフェライト樹脂あるいは珪素板よりなる磁気シールド材よりなるパッケージ材２４で磁気シールドされており、Ｄ級増幅器２が動作して電流が流れる時に発生する磁気が部品外部に漏れるのを防ぎ、漏れ磁束による他の電子回路への影響、妨害あるいは干渉を防止するという作用を有する。
【００３７】
【発明の効果】
以上のように、本発明によれば、Ｄ級増幅器を使用することにより発生する妨害を低減するＤ級増幅器を使用するシステムを提供することが可能となる。
【図面の簡単な説明】
【図１】本発明の実施の形態１におけるＤ級増幅器を使用したシステムのシステム構成図
【図２】本発明の実施の形態２におけるＤ級増幅器を使用したシステムのシステム構成図
【図３】本発明の実施の形態３におけるＤ級増幅器を使用したシステムのシステム構成図
【図４】本発明の実施の形態４におけるＤ級増幅器を使用したシステムのシステム構成図
【図５】本発明の実施の形態５におけるＤ級増幅器を使用したシステムのシステム構成図
【図６】本発明の実施の形態６におけるＤ級増幅器を使用したシステムのシステム構成図
【符号の説明】
１，９  第一の信号出力源
２，１２  第一のＤ級増幅器
３，１４  第一の積分器
４，８，１５，１７  再生デバイス
５，１０  第二の信号出力源
６，１３  第二のＤ級増幅器
７，１６  第二の積分器
１１  ＬＳＩ
１８，１９，２０，２１  システム
２２  コイル
２３  コンデンサ
２４  パッケージ材
【図１】
0003550022.tif 000002
【図２】
0003550022.tif 000003
【図３】
0003550022.tif 000004
【図４】
0003550022.tif 000005
【図５】
0003550022.tif 000006
【図６】
0003550022.tif 000007